(57)【特許請求の範囲】
【請求項１】
光源と、
前記光源からの光束を集光し、複数の中間光束に分割する第１の光学要素と、
前記第１の光学要素の光出射面側であって、前記中間光束が集束する位置に配置された第２の光学要素と、
前記第２の光学要素から出射された光を変調する唯一の反射型変調素子と、を有する投写型表示装置であって、
前記第２の光学要素は、
前記集束された中間光束のそれぞれをＰ偏光光束とＳ偏光光束とに分離し、前記Ｐ偏光光束、前記Ｓ偏光光束のうちいずれか一方の偏光方向を他方の偏光光束の偏光方向に揃えて出射する偏光変換素子と、
前記偏光変換素子の光出射面側に配置され、前記中間光束のそれぞれを前記反射型変調素子の一箇所の被照明領域上に重畳結合させる重畳結合素子とを有してなり、
前記第２の光学要素と前記反射型変調素子との間の光路上に、前記第２の光学要素から出射された光を反射または透過させて前記反射型変調素子に到達させるとともに、前記反射型変調素子により変調された光を透過または反射させて投写光学系へ到達させる偏光光束選択素子が設けられ、
更に、前記重畳結合素子が前記偏光変換素子から離れた位置に設けられていることを特徴とする投写型表示装置。
【請求項２】
請求項１において、
前記偏光変換素子は、一対の偏光分離面と反射面とを備えた偏光分離ユニットが複数配列された偏光分離ユニットアレイと、λ／２位相差層が規則的に形成された選択位相差板とからなることを特徴とする投写型表示装置。
【請求項３】
請求項２において、
前記重畳結合素子が前記偏光光束選択素子の光入射面側に取り付けられていることを特徴とする投写型表示装置。
【請求項４】
光源と、
前記光源からの光束を集光し、複数の中間光束に分割する第１の光学要素と、
前記第１の光学要素の光出射面側であって、前記中間光束が集束する位置に配置された第２の光学要素と、
前記第２の光学要素から出射された光束を３色の色光に分離するとともに、前記３色の色光をそれぞれ変調する３つの反射型変調素子によって変調された色光を合成する色光分離合成素子と、を有する投写型表示装置であって、
前記第２の光学要素は、
前記集束された中間光束のそれぞれをＰ偏光光束とＳ偏光光束とに分離し、前記Ｐ偏光光束、前記Ｓ偏光光束のうちいずれか一方の偏光方向を他方の偏光光束の偏光方向に揃えて出射する偏光変換素子と、
前記偏光変換素子の光出射面側に配置され、前記中間光束のそれぞれを前記各々の反射型変調素子の一箇所の被照明領域上に重畳結合させる重畳結合素子と、を有してなり、
前記第２の光学要素と前記色光分離合成素子との間の光路上に、前記第２の光学要素から出射された光を反射または透過させて前記色光分離合成素子に到達させるとともに、前記色光分離合成素子により合成された光を透過または反射させて投写光学系へ到達させる偏光光束選択素子が設けられ、
更に、前記重畳結合素子が前記偏光変換素子から離れた位置に設けられていることを特徴とする投写型表示装置。
【請求項５】
請求項４において、
前記偏光変換素子は、一対の偏光分離面と反射面とを備えた偏光分離ユニットが複数配列された偏光分離ユニットアレイと、λ／２位相差層が規則的に形成された選択位相差板とからなることを特徴とする投写型表示装置。
【請求項６】
請求項５において、
前記重畳結合素子が前記偏光光束選択素子の光入射面に取り付けられていることを特徴とする投写型表示装置。
【請求項７】
請求項５において、
前記光源と前記偏光光束選択素子との間に光の進行方向を約９０度変える反射ミラーを設けたことを特徴とする投写型表示装置。
【請求項８】
請求項７において、
前記反射ミラーは、前記偏光変換素子によって得られる特定の偏光光束のみを選択的に反射する誘電体ミラーからなり、前記偏光変換素子と前記重畳結合素子との間に配置されることを特徴とする投写型表示装置。
【請求項９】
請求項４において、
前記偏光変換素子は、斜面に偏光分離膜が形成された三角柱のプリズムと、一対の面に反射膜が形成された板状のプリズムとが、前記偏光分離膜と前記反射膜とが略平行になるように組み合わされた偏光分離プリズムと、λ／２位相差層が規則的に形成された選択位相差板とからなることを特徴とする投写型表示装置。
【請求項１０】
請求項５または請求項９において、
前記色光分離合成素子は２つのプリズム部品の間にダイクロイック膜が挟持されたダイクロイックプリズムからなり、
前記偏光光束選択素子は２つのプリズム部品の間に偏光光束選択膜が挟持された偏光ビームスプリッタからなり、
前記ダイクロイックプリズムを構成する前記２つのプリズム部品の一方と、前記偏光ビームスプリッタを構成する前記２つのプリズム部品の一方とが一体化されてなることを特徴とする投写型表示装置。
【請求項１１】
請求項５または請求項９において、
前記色光分離合成素子は２つのプリズム部品の間にダイクロイック膜が挟持された第１、第２のダイクロイックプリズムを有し、
前記第１のダイクロイックプリズムを構成する前記２つのプリズム部品の一方と、前記第２のダイクロイックプリズムを構成する前記２つのプリズム部品の一方とが一体化されてなることを特徴とする投写型表示装置。
【請求項１２】
請求項１１において、
前記色光分離合成素子にはさらに導光プリズムが設けられ、前記第１または第２のダイクロイックプリズムを構成する前記プリズム部品の一方と前記導光プリズムとが一体化されてなることを特徴とする投写型表示装置。
【請求項１３】
請求項５または請求項９において、
前記色光分離合成素子は４つのプリズム部品の間にダイクロイック膜がＸ字状に配置されたクロスダイクロイックプリズムからなり、
前記３つの反射型変調素子は前記クロスダイクロイックプリズムの隣り合う３辺に沿って配置されてなることを特徴とする投写型表示装置。
【請求項１４】
請求項１３において、
前記偏光光束選択素子は２つのプリズム部品の間に偏光光束選択膜が挟持された偏光ビームスプリッタからなり、
前記偏光ビームスプリッタを構成する前記２つのプリズム部品の一方と、前記クロスダイクロイックプリズムを構成する４つのプリズム部品のうちいずれか１つとが一体化されてなることを特徴とする投写型表示装置。
【請求項１５】
請求項５または請求項９において、
前記色光分離合成素子は、３色の色光をそれぞれ分離、合成する２つのダイクロイック膜を、互いに光軸に対して異なる角度で配置したダイクロイックプリズムからなることを特徴とする投写型表示装置。
【発明の詳細な説明】
【０００１】
【発明の属する技術分野】
本発明は反射型液晶装置のような反射型変調素子により形成された表示画像を投写面に投写表示する、投写型表示装置に関するものである。
【０００２】
【背景技術】
今日、大画面の画像を表示する方法としては、液晶装置をライトバルブとして用いた投写型表示装置が良く知られている。このような投写型表示装置の例として、３枚の液晶装置を用いた投写型表示装置の代表的な構成例を第１４図に示す。光源部１１０は光源ランプ１１１と放物面リフレクター１１２とから構成されており、光源ランプ１１１から出射された光は放物面リフレクター１１２により反射されてダイクロイックミラー４０１へ入射する。そして、波長選択性のある２枚のダイクロイックミラー４０１、４０２により赤色光、緑色光、青色光の３色の色光に分離された後、それぞれの色光に対応した透過型液晶装置３０１Ｒ、３０１Ｇ、３０１Ｂに照射され、それぞれの透過型液晶装置を透過してきた光がクロスダイクロイックプリズム４２０により合成され、投写光学系５００を介して投写面６００上に投写表示される。なお、赤色光の光路と、青色光の光路には、光束を反射する反射ミラー４０３、４０４、４０５が設けられている。
【０００３】
ここで、色光合成手段として用いるクロスダイクロイックプリズム４２０には、ダイクロイック膜がＸ字状に配置されている。３つの液晶装置を用いた投写型表示装置の色光合成手段は、クロスダイクロイックプリズム４２０の代わりに２枚のダイクロイックミラーを平行に配置しても実現できる。しかしながら、クロスダイクロイックプリズム４２０を用いた方が、２枚のダイクロイックミラーを平行に配置した場合に比べて液晶装置３０１、３０１Ｇ、３０１Ｂと投写光学系５００との間の距離を短くできるため、大口径の投写レンズを用いなくとも明るい投写画像が得られるという特徴がある。
【０００４】
【発明が解決しようとする課題】
しかしながら、従来の投写型表示装置では、光合成の部分についてはクロスダイクロイックプリズム４２０を用いることにより光路を短くすることができるものの、光分離手段の部分については、ダイクロイックミラー４０１、４０２、および、反射ミラー４０３、４０４、４０５を用いているため、光路の長さがかなり長いものとなっている。よって、従来の投写型表示装置では光を分離する過程における光損失が多く、クロスダイクロイックプリズム４２０の持つ特性を十分に活かすことができなかった。
【０００５】
また、光源ランプ１１１と放物面リフレクター１１２とから構成される光源部１１０からの出射光束は、光束の断面内で不均一な光強度分布を有しており、光源光軸近傍の照明光の光強度は大きく、光軸から離れるにしたがって照明光の光強度は小さくなるという特性を持つ。したがって、第１４図に示した従来の投写型表示装置においては、被照明領域である液晶装置３０１Ｒ、３０１Ｇ、３０１Ｂにおける照明光の光強度分布が不均一となり、投写面６００に投写される画像に明るさムラや色ムラが生じてしまうという問題点がある。
【０００６】
そこで、本発明は、光路の長さを短くして光の損失を防ぐことにより、大口径の投写レンズを用いなくともより明るい投写画像を得ることができる投写型表示装置を提供することを目的とする。
【０００７】
また、被照明領域における照明光の光強度分布の不均一性を低減し、明るさが均一で、画質の良い投写型表示装置を提供することを目的とする。
【０００８】
【課題を解決するための手段】
本発明第１の投写型表示装置は、光源と、前記光源からの光束を集光し、複数の中間光束に分割する第１の光学要素と、前記第１の光学要素の光出射面側であって、前記中間光束が集束する位置に配置された第２の光学要素と、前記第２の光学要素から出射された光を変調する唯一の反射型変調素子と、を有する投写型表示装置であって、前記第２の光学要素は、前記集束された中間光束のそれぞれをＰ偏光光束とＳ偏光光束とに分離し、前記Ｐ偏光光束、前記Ｓ偏光光束のうちいずれか一方の偏光方向を他方の偏光光束の偏光方向に揃えて出射する偏光変換素子と、前記偏光変換素子の光出射面側に配置され、前記中間光束のそれぞれを前記反射型変調素子の一箇所の被照明領域上に重畳結合させる重畳結合素子とを有してなり、前記第２の光学要素と前記反射型変調素子との間の光路上に、前記第２の光学要素から出射された光を反射または透過させて前記反射型変調素子に到達させるとともに、前記反射型変調素子により変調された光を透過または反射させて投写光学系へ到達させる偏光光束選択素子が設けられ、更に、前記重畳結合素子が前記偏光変換素子から離れた位置に設けられていることを特徴とする。
【０００９】
本発明第１の投写型表示装置の上記構成によれば、光路の長さをきわめて短くすることができ、光の損失を最小限にとどめることが可能となる。よって、大口径の投写レンズを用いなくともきわめて明るい投写画像を得ることが可能となる。
【００１０】
第１の光学要素としては、例えば複数の光束分割レンズがマトリックス状に配置されたレンズアレイを用いることができる。このようなレンズアレイによって光源からの光束を複数の中間光束に分割し、それらの中間光束を被照明領域上で重畳結合することにより、単一光束の場合よりも照度のムラを低減することができる。よって、光源からの出射光束が光束の断面内で不均一な光強度分布を有していた場合でも、明るさが均一な照明光を得ることができる。特に、光源ランプと放物面等のリフレクターとからなる光源から出射される光束に見られるように、光束の光強度分布が全く無秩序ではなく、光強度分布に一定の傾向を有している場合には、上記の第１の光学要素を用いることにより、被照明領域における照明光の光強度分布やその角度分布をきわめて均一なものとすることができる。
【００１１】
第２の光学要素は、中間光束をＰ偏光光束、Ｓ偏光光束に分離した後、どちらか一方の偏光方向を他方の偏光方向と揃え、最終的に一箇所の被照明領域上に重畳結合させるものである。従来の投写型表示装置においては、Ｐ偏光光束、Ｓ偏光光束のいずれか一方しか用いることができず、光損失が大きなものもあったが、本発明の第２の光学要素を用いれば、どちらの偏光光束も無駄なく用いることが可能となるため、明るい画像を得ることが可能となる。また、分割された複数の中間光束を、最終的に一箇所の被照明領域上で重畳結合させるため、光源からの出射光束が光束の断面内で不均一な光強度分布を有していた場合でも、明るさが均一な偏光光束を照明光として得ることができる。特に、均等な光強度や分光特性で中間光束をＰ偏光光束とＳ偏光光束に分離できない場合や、両偏光光束の偏光方向を揃える過程で一方の偏光光束の光強度やその分光特性が変化した場合においても、明るさが均一で色ムラの少ない偏光光束を照明光として得ることができる。
【００１２】
第２の光学要素の偏光変換素子として、一対の偏光分離面と反射面とを備えた偏光分離ユニットが複数配列された偏光分離ユニットアレイと、λ／２位相差層が規則的に形成された選択位相差板とからなる板状の偏光変換素子を採用することができる。このような偏光変換素子を採用することにより、光源からの出射光束を拡幅させることなく、かつ少ないスペースで偏光変換を行うことができる。
【００１３】
なお、上記構成の第２の光学要素を備えた本発明第１の投写型表示装置において、前記重畳結合素子が前記偏光変換素子から離れた位置に設けられていることにより、第１の光学要素と偏光変換素子との距離を短くし、集光力の大きい光束分割レンズからなる第１の光学要素の使用を可能にする。その結果、各光束分割レンズによって形成される像の大きさを小さくでき、各中間光束のそれぞれを、それと対応する偏光分離面上にのみ入射させ、反射面に直接光束が入射するのを防ぐことができる。したがって、光の利用効率をより高めることができ、さらに明るい投写画像を得ることが可能となる。
【００１４】
また、この場合、前記重畳結合素子を前記偏光光束選択素子の光入射面に取り付けるようにすれば、重畳結合素子と反射透過素子との界面において発生する光損失を防ぐことができ、さらに光の利用効率を高めることが可能となる。
【００１５】
また、本発明第１の投写型表示装置において、前記重畳結合素子と前記偏光光束選択素子との間の光路上や、前記偏光光束選択素子と前記投写光学系との間の光路上に偏光板を配置しても良い。前者の位置に偏光板を配置すれば、偏光光束選択素子に入射する偏光光束、結果的には反射型変調素子を照明する照明光の偏光度を高めることができる。後者の位置に偏光板を配置すれば、偏光光束選択素子から出射する偏光光束、結果的には投写光学系を介して表示面、あるいは投写面上に投写される画像の偏光度を高めることができる。したがって、このように偏光板を配置することにより、投写画像のコントラストを高めることができ、きわめて質の高い投写画像を得ることが可能となる。
【００１６】
本発明第２の投写型表示装置は、光源と、前記光源からの光束を集光し、複数の中間光束に分割する第１の光学要素と、前記第１の光学要素の光出射面側であって、前記中間光束が集束する位置に配置された第２の光学要素と、前記第２の光学要素から出射された光束を３色の色光に分離するとともに、前記３色の色光をそれぞれ変調する３つの反射型変調素子によって変調された色光を合成する色光分離合成素子と、を有する投写型表示装置であって、前記第２の光学要素は、前記集束された中間光束のそれぞれをＰ偏光光束とＳ偏光光束とに分離し、前記Ｐ偏光光束、前記Ｓ偏光光束のうちいずれか一方の偏光方向を他方の偏光光束の偏光方向に揃えて出射する偏光変換素子と、前記偏光変換素子の光出射面側に配置され、前記中間光束のそれぞれを前記各々の反射型変調素子の一箇所の被照明領域上に重畳結合させる重畳結合素子と、を有してなり、
前記第２の光学要素と前記色光分離合成素子との間の光路上に、前記第２の光学要素から出射された光を反射または透過させて前記色光分離合成素子に到達させるとともに、前記色光分離合成素子により合成された光を透過または反射させて投写光学系へ到達させる偏光光束選択素子が設けられ、更に、前記重畳結合素子が前記偏光変換素子から離れた位置に設けられていることを特徴とする投写型表示装置。
【００１７】
本発明第２の投写型表示装置においては、光を分離する機能と、光を合成する機能とを同一手段で達成しているため、前述した従来の投写型表示装置ようにダイクロイックミラー４０１、４０２や反射ミラー４０３、４０４、４０５を配置する必要がなくなる。よって、光路の長さをきわめて短くすることができ、光の損失を最小限にとどめることが可能となる。よって、大口径の投写レンズを用いなくともきわめて明るい投写画像を得ることが可能となる。
【００１８】
第１の光学要素としては、例えば複数の光束分割レンズがマトリックス状に配置されたレンズアレイを用いることができる。このようなレンズアレイによって光源からの光束を複数の中間光束に分割し、それらの中間光束を被照明領域上で重畳結合することにより、単一光束の場合よりも照度のムラを低減することができる。よって、光源からの出射光束が光束の断面内で不均一な光強度分布を有していた場合でも、明るさが均一な照明光を得ることができる。特に、光源ランプと放物面等のリフレクターとからなる光源から出射される光束に見られるように、光束の光強度分布が全く無秩序ではなく、光強度分布に一定の傾向を有している場合には、上記の第１の光学要素を用いることにより、被照明領域における照明光の光強度分布やその角度分布をきわめて均一なものとすることができる。
【００１９】
第２の光学要素は、中間光束をＰ偏光光束、Ｓ偏光光束に分離した後、どちらか一方の偏光方向を他方の偏光方向と揃え、最終的に一箇所の被照明領域上で重畳結合させるものである。従来の投写型表示装置においては、Ｐ偏光光束、Ｓ偏光光束のいずれか一方しか用いることができず、光損失が大きなものもあったが、本発明の第２の光学要素を用いれば、どちらの偏光光束も無駄なく用いることが可能となるため、明るい画像を得ることが可能となる。また、分割された複数の中間光束を、最終的に一箇所の被照明領域上で重畳結合させるため、光源からの出射光束が光束の断面内で不均一な光強度分布を有していた場合でも、明るさが均一な偏光光束を照明光として得ることができる。特に、均等な光強度や分光特性で中間光束をＰ偏光光束とＳ偏光光束に分離できない場合や、両偏光光束の偏光方向を揃える過程で一方の偏光光束の光強度やその分光特性が変化した場合においても、明るさが均一で色ムラの少ない偏光光束を照明光として得ることができる。
【００２０】
第２の光学要素の偏光変換素子として、一対の偏光分離面と反射面とを備えた偏光分離ユニットが複数配列された偏光分離ユニットアレイと、λ／２位相差層が規則的に形成された選択位相差板とからなる板状の偏光変換素子を採用することができる。このような偏光変換素子を採用することにより、光源からの出射光束を拡幅させることなく、かつ少ないスペースで偏光変換を行うことができる。
【００２１】
なお、上記構成の第２の光学要素を備えた本発明第２の投写型表示装置において、前記重畳結合素子が前記偏光変換素子から離れた位置に設けられていることにより、第１の光学要素と偏光変換素子との距離を短くし、集光力の大きい光束分割レンズからなる第１の光学要素の使用を可能にする。その結果、各光束分割レンズによって形成される像の大きさを小さくでき、各中間光束のそれぞれを、それと対応する偏光分離面上にのみ入射させ、反射面に直接光束が入射するのを防ぐことができる。したがって、光の利用効率をより高めることができ、さらに明るい投写画像を得ることが可能となる。
【００２２】
また、この場合、前記重畳結合素子を前記偏光光束選択素子の光入射面に取り付けるようにすれば、重畳結合素子と反射透過素子との界面において発生する光損失を防ぐことができ、さらに光の利用効率を高めることが可能となる。
【００２３】
さらに、上記構成の第２の光学要素を備えた本発明第２の投写型表示装置において、前記光源と前記偏光光束選択素子との間に光の進行方向を約９０度変える反射ミラーを配置すれば、光学系をコンパクトにすることが可能となる。
【００２４】
さらに、この反射ミラーを前記偏光変換素子によって得られる特定の偏光光束のみを選択的に反射する誘電体ミラーとし、前記偏光変換素子と前記重畳結合素子との間に配置することにより、偏光光束選択素子に入射する偏光光束の偏光度を、結果的には反射型変調素子を照明する照明光の偏光度を高めることができる。したがって、投写画像のコントラストを高めることができ、きわめて質の高い投写画像を得ることが可能となる。
【００２５】
また、第２の光学要素の偏光変換素子として、斜面に偏光分離膜が形成された三角柱のプリズムと、一方の面に反射膜が形成された板状のプリズムとが、前記偏光分離膜と前記反射膜とが略平行になるように組み合わされた偏光分離プリズムと、λ／２位相差層が規則的に形成された選択位相差板とからなる偏光変換素子を採用することができる。このような偏光変換素子によっても、光源からの出射光束を拡幅させることなく、かつ少ないスペースで偏光変換を行うことができる。さらに、このような偏光変換素子を採用すれば、偏光変換を行うと同時に光の進行方向が約９０度変えられるため、光の進行方向を変える反射ミラーを配置することなく光学系をコンパクトにすることが可能となる。
【００２６】
本発明第２の投写型表示装置において、前記色光分離合成素子を２つのプリズム部品の間にダイクロイック膜が挟持されたダイクロイックプリズムで構成し、前記偏光光束選択素子を２つのプリズム部品の間に偏光光束選択膜が挟持された偏光ビームスプリッタで構成し、前記ダイクロイックプリズムを構成する前記プリズム部品の一方と、前記偏光ビームスプリッタを構成する前記プリズム部品の一方とが一体化された構成としても良い。
【００２７】
また、本発明第２の投写型表示装置において、前記色光分離合成素子は、２つのプリズム部品の間にダイクロイック膜が挟持された第１、第２のダイクロイックプリズムを備え、前記第１のダイクロイックプリズムを構成する前記プリズム部品の一方と、前記第２のダイクロイックプリズムを構成する前記プリズム部品の一方とが一体化された構成としても良い。
【００２８】
さらに、前記色光分離合成素子にさらに導光プリズムを設け、前記第１または第２のダイクロイックプリズムを構成する前記プリズム部品の一方と前記導光プリズムとが一体化された構成としても良い。
【００２９】
このように、プリズム部品を一体構成とすることにより、プリズム部品どうしの境界部分において発生する光損失を防ぐことができる。したがって、より一層光の利用効率を高めることができ、さらに明るい投写画像を得ることが可能となる。
【００３０】
さらに、本発明第２の投写型表示装置において、前記色光分離合成素子を４つのプリズム部品の間にダイクロイック膜がＸ字状に配置されたクロスダイクロイックプリズムで構成し、前記３つの反射型変調素子を前記クロスダイクロイックプリズムの隣り合う３辺に沿って配置するようにしても良い。
【００３１】
このような構成とすれば、色光の分離、合成を１つのクロスダイクロイックプリズムで行うことができる。したがって、反射型変調素子を３つ使用した場合でも光路の長さが長くなることが無く、光の損失を防ぐことが可能となる。よって、３つの反射型変調素子を用いた場合でも、表示面、あるいは投写面全体に渡って明るさムラや色ムラが無く、かつ大口径の投写レンズを用いなくてもきわめて明るい投写画像を得ることができる。
【００３２】
このクロスダイクロイックプリズムを用いた投写型表示装置において、前記偏光光束選択素子を２つのプリズム部品の間に偏光光束選択膜が挟持された偏光ビームスプリッタで構成し、前記偏光ビームスプリッタを構成する前記２つのプリズム部品の一方と、前記クロスダイクロイックプリズムを構成する４つのプリズム部品のうちいずれか１つとを一体化するようにしても良い。
【００３３】
このように、プリズム部品を一体構成とすることにより、クロスダイクロイックプリズムと偏光ビームスプリッタとの境界部分において発生する光損失を防ぐことができる。したがって、より一層光の利用効率を高めることができ、さらに明るい投写画像を得ることが可能となる。本発明第２の投写型表示装置において、前記色光分離合成素子を、３色の色光をそれぞれ分離、合成する２つのダイクロイック膜を互いに光軸に対して異なる角度で配置したダイクロイックプリズムで構成することもできる。
【００３４】
前述したクロスダイクロイックプリズムを用いた場合には、プリズムの中央部にダイクロイック膜が直交する部分が存在し、この部分が投写画像に影として現れる場合がある。２つのダイクロイック膜を互いに光軸に対して異なる角度で配置したダイクロイックプリズムを採用すれば、この現象を防止することが可能である。
【００３５】
また、本発明第２の投写型表示装置において、前記重畳結合素子と前記偏光光束選択素子との間の光路上や、前記偏光光束選択素子と前記投写光学系との間の光路上に偏光板を配置しても良い。前者の位置に偏光板を配置すれば、偏光光束選択素子に入射する偏光光束の偏光度を、つまり結果的には反射型変調素子を照明する照明光の偏光度を高めることができる。後者の位置に偏光板を配置すれば、偏光光束選択素子から出射する偏光光束の偏光度を、つまり結果的には投写光学系を介して表示面、あるいは投写面上に投写される画像の偏光度を高めることができる。したがって、このように偏光板を配置することにより、投写画像のコントラストを高めることができ、きわめて質の高い投写画像を得ることが可能となる。
【００３６】
【発明を実施するための最良の形態】
以下に、図面を参照して本発明を実施するための最良の形態（実施例）を説明する。以下の各実施例においては、互いに直交する３つの方向を、便宜的にＸ方向、Ｙ方向、Ｚ方向とし、Ｚ方向を光の進行方向とした。
（第１実施例）
第１図は、第１実施例の投写型表示装置１の要部を平面的に見た概略構成図である。なお、第１図は、後に詳しく述べる第１の光学要素１２０の中心を通るＸＺ平面における断面図である。
【００３７】
本例の投写型表示装置１は、システム光軸Ｌに沿って配置した光源部１１０、第１の光学要素１２０、第２の光学要素１３０から概略構成される偏光照明装置１００、偏光照明装置１００からの光を反射させて反射型液晶装置３００に到達させるとともに、反射型液晶装置３００により変調された光を透過させて投写光学系５００へ到達させるＳ偏光光束反射膜２０１を備えた偏光ビームスプリッタ２００、偏光ビームスプリッタ２００から出射された光を変調する反射型液晶装置３００、反射型液晶装置３００にて変調された光を投写面６００に投写する投写光学系５００から大略構成されている。
【００３８】
光源部１１０は、光源ランプ１１１と、放物面リフレクター１１２とから大略構成されている。光源ランプ１１１から放射された光は、放物面リフレクター１１２によって一方向に反射され、略平行な光束となって第１の光学要素１２０に入射する。ここで、光源ランプ１１１としては、メタルハライドランプ、キセノンランプ、高圧水銀ランプ、ハロゲンランプ等が、また、リフレクターとしては本例に挙げた放物面リフレクター１１２の他に、楕円リフレクター、球面リフレクター等が使用できる。
【００３９】
第１の光学要素１２０は、その外観を第２図に示す様に、マトリックス状に配列された複数の矩形の光束分割レンズ１２１を備えたレンズアレイである。光源部１１０と第１の光学要素１２０との位置関係は、光源光軸Ｒが第１の光学要素１２０の中心に来るように設定されている。第１の光学要素１２０に入射した光は、光束分割レンズ１２１により複数の中間光束１２２に分割され、同時に光束分割レンズ１２１の集光作用により、システム光軸Ｌと垂直な平面内（第１図ではＸＹ平面）の中間光束が集束する位置に光束分割レンズの数と同数の集光像１２３を形成する。尚、光束分割レンズ１２１のＸＹ平面上における断面形状は反射型液晶装置３００の表示領域（被照明領域）の形状とほぼ相似形をなすように設計すると良い。本例では、ＸＹ平面上でＸ方向に長い長方形の被照明領域を想定しているため、光束分割レンズ１２１のＸＹ平面上における断面形状もＸ方向に長い長方形としてある。
【００４０】
次に、第３図に基づいて第２の光学要素１３０の機能について説明する。
【００４１】
第２の光学要素１３０は、集光レンズアレイ１３１、偏光分離ユニットアレイ１４１と選択位相差板１４７とからなる板状の偏光変換素子１４０、偏光変換素子１４０から出射された中間光束を所定の被照明領域１６０上に重畳させる出射側レンズ１５０から大略構成される複合体である。第２の光学要素１３０は、第１の光学要素の光出射面側に、システム光軸Ｌに対してほぼ垂直となるように配置される。この第２の光学要素１３０は、中間光束１２２のそれぞれをＰ偏光光束とＳ偏光光束とに分離した後、一方の偏光光束の偏光方向と他方の偏光光束の偏光方向とを揃え、偏光方向がほぼ揃ったそれぞれの光束を一箇所の被照明領域１６０に導くという機能を有している。
【００４２】
集光レンズアレイ１３１は、第１の光学要素１２０と同様に、第１の光学要素１２０を構成する光束分割レンズ１２１と同数の集光レンズ１３２が、マトリックス状に複数配列されたものである。集光レンズアレイ１３１は、中間光束１２２のそれぞれを偏光分離ユニットアレイ１４１の特定の場所に集光しながら導くとともに、中間光束１２２の光軸をシステム光軸Ｌと平行にするという機能を有している。したがって、各集光レンズのレンズ特性は、第１の光学要素１２０により分割された中間光束１２２の特性に合わせて、また、偏光分離ユニットアレイ１４１に入射する光の主光線の傾きがシステム光軸Ｌと平行となるように、各々最適化されることが望ましい。但し、光学系の低コスト化および設計の容易さを考慮して、第１の光学要素１２０と全く同じレンズアレイを用いるか、あるいは、ＸＹ平面における断面形状が、第１の光学要素１２０を構成する光束分割レンズ１２１とほぼ相似形をなす集光レンズで構成したレンズアレイを用いても良い。本例の場合には、第１の光学要素１２０と同じレンズアレイを集光レンズアレイ１３１として用いている。尚、第１の光学要素１２０に入射する光束の平行性がきわめて高い場合には、第２の光学要素から集光レンズアレイ１３１を省略しても良い。
【００４３】
偏光分離ユニットアレイ１４１は、第４図（Ａ）に示されたように、Ｘ方向に配列された複数の偏光分離ユニット１４２から構成されている。偏光分離ユニット１４２は、光学ガラス等からなるプリズム内に一対の偏光分離面１４３と反射面１４４とを備えた四角柱状の構造体であり、入射する中間光束１２２のそれぞれをＰ偏光光束とＳ偏光光束とに分離する機能を有している。尚、偏光分離ユニットアレイ１４１は、交互に繰り返し配列した偏光分離面１４３と反射面１４４とをその内部に有する構造体であれば良く、必ずしも、複数の偏光分離ユニット１４２によって構成される必要はない。偏光分離ユニットアレイの機能の理解を容易にするために、偏光分離ユニット１４２という概念を導入したに過ぎない。
【００４４】
偏光分離面１４３と反射面１４４とはＸ方向に交互に並ぶように配置されていおり、それぞれシステム光軸Ｌに対して約４度の傾きをなしている。また、偏光分離面１４３と反射面１４４とは互いに重なり合わないように配置されている。また、偏光分離面１４３をＸＹ平面上に投影した面積と反射面１４４をＸＹ平面上に投影した面積とはそれぞれ等しい。偏光分離面１４３は誘電体多層膜等で、また、反射面１４４は誘電体多層膜、アルミニウム膜等で形成することができる。偏光分離ユニット１４２に入射した光は、偏光分離面１４３を透過するＰ偏光光束と、偏光分離面１４３で反射されて反射面１４４の方向に進行方向を変えるＳ偏光光束とに分離される。Ｐ偏光光束は偏光分離ユニット１４２のＰ偏光光束出射面１４５から出射される。一方、Ｓ偏光光束は反射面１４４で反射され、Ｐ偏光光束とほぼ平行な状態となって、偏光分離ユニット１４２のＳ偏光光束出射面１４６から出射される。すなわち、偏光分離ユニット１４２に入射したランダムな偏光方向を有する中間光束１２２は、偏光分離ユニット１４２によりＰ偏光光束とＳ偏光光束とに分離され、それぞれ偏光分離ユニット１４２のＰ偏光光束出射面１４５、Ｓ偏光光束出射面１４６からほぼ同じ方向に向けて出射される。
【００４５】
なお、本例の偏光照明装置１００では、偏光分離ユニット１４２の偏光分離面１４３上にそれぞれの中間光束１２２を導く必要がある。したがって、本例では、偏光分離面１４３の中央部に中間光束１２３が集光されるように、集光レンズアレイ１３１が偏光分離ユニット１４２の横幅Ｗの１／４に相当する距離Ｄだけ、偏光分離ユニットアレイ１４１に対してＸ方向にずらした状態で配置されている。また、その結果、光源部１１０も、その光源光軸Ｒがシステム光軸Ｌに対して距離ＤだけＸ方向に平行シフトした状態となるように配置されている（第３図参照）。
【００４６】
偏光分離ユニットアレイ１４１の光出射面側には、λ／２位相差層１４８が規則的に形成された選択位相差板１４７が設置されている。第４図（Ｂ）に選択位相差板１４７の例を示す。
【００４７】
選択位相差板１４７は、偏光分離ユニット１４２のＰ偏光光束出射面１４５の部分にのみλ／２位相差層１４８が形成され、Ｓ偏光光束出射面１４６部分にはλ／２位相差層１４８が形成されていない光学素子である。したがって、偏光分離ユニット１４２から出射されたＰ偏光光束は、選択位相差板１４７を通過する際にλ／２位相差層１４８によって偏光方向の回転作用を受け、Ｓ偏光光束へと変換される。一方、Ｓ偏光光束出射面１４６の部分にはλ／２位相差層１４８が形成されていないので、偏光分離ユニット１４２のＳ偏光光束出射面１４６から出射されたＳ偏光光束はＳ偏光のまま選択位相差板１４７を通過する。
【００４８】
すなわち、第１の光学要素から出射されたランダムな偏光方向を有する中間光束は、偏光分離ユニットアレイ１４１によりＰ偏光光束とＳ偏光光束とに分離され、選択位相差板１４７により、偏光方向が揃った一種類の偏光光束（本例の場合はＳ偏光光束）に変換されたことになる。
【００４９】
偏光変換素子１４０の光出射面側に配置された出射側レンズ１５０（第３図）は、偏光変換素子１４０によりＳ偏光光束に揃えられたそれぞれの中間光束を、被照明領域１６０上で重畳結合する重畳結合素子としての機能を有している。すなわち、第１の光学要素１２０により分割された中間光束１２２（つまり、光束分割レンズ１２１により切り出されたイメージ面）のそれぞれが、偏光変換素子１４０によって偏光方向の揃った一種類の偏光光に変換され、出射側レンズ１５０によって一箇所の被照明領域１６０上で重畳結合される。この場合、第１の光学素子１２０に入射する光束の光強度分布がその入射断面内で均一でなくとも、複数の分割された中間光束が重畳結合される過程で光強度は平均化されるため、被照明領域上における照明光の光強度分布は殆ど均一である。よって、被照明領域１６０を、一種類の偏光光束でほぼ均一に照明することができる。なお、出射側レンズ１５０は１つのレンズ体である必要はなく、第１の光学要素１２０のように、複数のレンズから構成されたレンズアレイとしても良い。
【００５０】
以上をまとめると、偏光照明装置１００によって、明るさが均一で偏光方向がほぼ揃った照明光を得ることができる。
【００５１】
偏光照明装置１００では、第１の光学要素１２０により微小な複数の集光像１２３を形成し、それらの形成過程で生じた光の存在しない空間を上手く利用し、その空間に偏光分離ユニット１４２の反射面１４４を配置している。したがって、光源からの出射光束を２種類の偏光光束に分離する際に生じる光束の拡幅を抑えることができ、少ないスペースで偏光変換を行うことができるという特徴がある。なお、Ｘ方向に長い長方形である被照明領域１６０の形状に合わせて、第１の光学要素１２０を構成する光束分割レンズ１２１の断面形状をＸ方向に長い長方形にするとともに、偏光分離ユニットアレイ１４１から出射された二種類の偏光光束がＸ方向に交互に並ぶようにしている。このため、長方形の被照明領域１６０を照明する場合でも、光量を無駄にすることなく、光の利用効率を高めることができる。
【００５２】
また、第２の光学要素１３０を構成する集光レンズアレイ１３１、偏光分離ユニットアレイ１４１、選択位相差板１４７、および出射側レンズ１５０を光学的に一体化することにより、それらの界面において発生する光損失を低減し、光の利用効率を一層高めるようにしている。しかしながら、これらの光学素子は必ずしも光学的に一体化する必要はない。
【００５３】
再び第１図に戻って説明する。
【００５４】
偏光ビームスプリッタ２００は、２つのプリズム部品２０２、２０３の接合面に、Ｓ偏光光束反射膜２０１が形成されたものである。Ｓ偏光光束反射膜２０１は誘電体多層膜等で構成され、Ｓ偏光光束を反射し、かつＰ偏光光束を透過させる偏光光束選択素子として機能する。先に説明したように、偏光照明装置１００から出射される光束は、そのほとんどが一種類の偏光光束に変換されている。したがって、偏光照明装置１００から出射された光束のほとんどすべてがＳ偏光光束反射膜２０１によって反射あるいは透過されることとなる。本例では、第２の光学要素１３０から出射される光束はＳ偏光光束である。よって、偏光ビームスプリッタ２００に入射した光束は、その殆どがＳ偏光光束反射膜２０１によって反射されて反射型液晶装置３００に到達することになる。
【００５５】
なお、第２の光学要素１３０から出射される光束がＰ偏光光束である場合には、偏光ビームスプリッタ２００に入射した光束はＳ偏光光束反射膜２０１を透過する。したがって、この場合には、偏光ビームスプリッタ２００を挟んで第２の光学要素と対向するように反射型液晶装置３００を配置すれば良い。
【００５６】
反射型液晶装置３００に入射した光束は、反射型液晶装置３００により所定の画像情報に基づいた変調を受ける。
【００５７】
ここで、反射型液晶装置３００の一例を第５図に示す。反射型液晶装置３００は、マトリックス状に配置された反射画素電極３１９に、薄膜トランジスタからなるスイッチング素子が接続されたアクティブマトリックス型液晶装置であり、一対の基板３１０、３３０間に液晶層３２０が挟持された構造となっている。基板３１０は珪素からなり、その一部にソース３１１、ドレイン３１６が形成されている。また、基板３１０上には、アルミニウムからなるソース電極３１２およびドレイン電極３１７、二酸化珪素からなるチャネル３１３、珪素層３１４およびタンタル層３１５とからなるゲート電極、層間絶縁膜３１８、アルミニウムからなる反射画素電極３１９が形成され、ドレイン電極３１７と反射画素電極３１９とはコンタクトホールＨを介して電気的に接続されている。反射画素電極３１９は不透明であるため、ゲート電極、ソース電極３１２、ドレイン電極３１７の上に層間絶縁膜３１８を介して積層することができる。したがって、隣り合う反射画素電極３１９間の距離Ｘをかなり小さくすることができ、開口率を大きく取ることができる。
【００５８】
なお、本例においては、ドレイン３１６、二酸化珪素層３４０、珪素層３４１、タンタル層３４２から構成される保持容量部を設けている。
【００５９】
一方、対向する基板３３０には、液晶層３２０側の面にＩＴＯからなる対向電極３３１が形成されており、他方の面には反射防止層３３２が形成されている。この対向電極３３１とそれぞれの反射画素電極３１９との間に電圧を印加することによって、液晶層３２０の駆動が行われる。
【００６０】
液晶層３２０は、電圧無印加（ＯＦＦ）時には液晶分子３２１が垂直に配向しており、電圧印加（ＯＮ）時には液晶分子３２１が９０度ねじれるスーパーホメオトロピックタイプのものである。よって、第５図に示したように、電圧無印加（ＯＦＦ）時に偏光ビームスプリッタ２００から反射型液晶装置３００に入射したＳ偏光光束は、その偏光方向を変えること無く反射型液晶装置３００から偏光ビームスプリッタ２００へ戻される。よって、Ｓ偏光光束反射膜２０１によって反射されて投写光学系５００の方へ到達することはない。一方、電圧印加（ＯＮ）時に偏光ビームスプリッタ２００から反射型液晶装置３００に入射したＳ偏光光束は、液晶分子３２１のねじれによりその偏光方向が変えられてＰ偏光光束となり、Ｓ偏光光束反射膜２０１を透過した後、投写光学系５００を介して投写面６００に投写されることとなる。
【００６１】
以上述べたように、本例の投写型表示装置１は、光路の長さがきわめて短い。また、液晶装置の開口率を大きくすることができるため、光の損失を最大限に防ぐことが可能となる。よって、大口径の投写レンズを用いなくともきわめて明るい投写画像を得ることが可能となる。
【００６２】
さらに、第１の光学要素、第２の光学要素を用いたことにより、明るさが均一な偏光光束を照明光として得ることができる。したがって、表示面、あるいは投写面全体に渡って明るさムラや色ムラが無く、かつきわめて明るい投写画像を得ることが可能となる。
【００６３】
なお、反射型液晶装置３００の構造、その各構成要素の材料、並びに液晶層３２０の動作モードについては上述の例に限られるものではない。
【００６４】
また、上述した反射型液晶装置３００はモノクロ画像表示用であるが、反射型液晶装置３００と偏光ビームスプリッタ２００との間に、或いは反射型液晶装置３００の内部にカラーフィルタを設ければ、カラー画像を表示することも可能である。
（第２実施例）
第６図は、第２実施例の投写型表示装置２の要部を平面的に見た概略構成図である。なお、第２図は、第１の光学要素１２０の中心を通るＸＺ平面における断面図である。本例の投写型表示装置２において、前に説明した第１実施例の投写型表示装置１の構成要素と同様の構成要素については、第１図〜第５図で用いたものと同じ参照番号を付し、その詳細な説明については省略する。
【００６５】
本例の投写型表示装置２は、システム光軸Ｌに沿って配置した光源部１１０、第１の光学要素１２０、第２の光学要素１３０から概略構成される偏光照明装置１００、偏光照明装置１００からの光を反射させて、ダイクロイックプリズム４１１、４１３と導光プリズム４１２とからなる色光分離合成素子に到達させるとともに、色光分離合成素子により合成された光を透過させて投写光学系５００へ到達させるＳ偏光光束反射膜２０１を備えた偏光ビームスプリッタ２００、偏光ビームスプリッタ２００から出射された光を赤色光（Ｒ）、緑色光（Ｇ）、青色光（Ｂ）に分離するとともに、反射型液晶装置３００Ｒ、３００Ｇ、３００Ｂによって変調された色光を合成する色光分離合成素子（ダイクロイックプリズム４１１、４１３、および導光プリズム４１２）、３色の色光をそれぞれ変調する反射型液晶装置３００Ｒ、３００Ｇ、３００Ｇ、３つの反射型液晶装置３００Ｒ、３００Ｇ、３００Ｂによって変調された光を投写面６００に投写する投写光学系５００から大略構成されている。
【００６６】
本例の投写型表示装置２では、第１実施例とまったく同じ構成の偏光照明装置１００が用いられている。第１実施例で説明したように、偏光照明装置１００において、光源部１１０から出射されたランダムな偏光光束は、第１の光学要素１２０により複数の中間光束に分割された後、第２の光学要素１３０により偏光方向がほぼ揃った一種類の偏光光束（本例ではＳ偏光光束）に変換される。そして、偏光照明装置１００から出射されたＳ偏光光束は、偏光ビームスプリッタ２００のＳ偏光光束反射膜２０１によって反射される。
【００６７】
Ｓ偏光光束反射膜２０１によって反射された光束は、２つのダイクロイックプリズム４１１、４１２によって赤色光（Ｒ）、緑色光（Ｇ）、青色光（Ｂ）の三色の色光に分離される。
【００６８】
ダイクロイックプリズム４１１は、２つのプリズム部品４１４、４１４の接合面に誘電体多層膜等からなる青色光反射ダイクロイック膜４１８が形成されたものである。Ｓ偏光光束反射膜２０１で反射されたＳ偏光光束のうち、青色光（Ｂ）はこの青色光反射ダイクロイック膜４１８にて反射され、導光プリズム４１２を経て反射型液晶装置３００Ｂに入射する。そして、反射型液晶装置３００Ｂによって、所定の画像情報に基づいた変調が施される。なお、導光プリズム４１２は青色光（Ｂ）の色光の光路の長さを、他の色光の光路の長さと等しくするために用いられているものである。
【００６９】
ダイクロイックプリズム４１３は、２つのプリズム部品４１６、４１７の接合面に、誘電体多層膜等からなる赤色光反射ダイクロイック膜４１９が形成されたものである。ダイクロイックプリズム４１１の青色光反射ダイクロイック膜４１８を透過した色光のうち、赤色光（Ｒ）は、この赤色光反射ダイクロイック膜４１９にて反射され、反射型液晶装置３００Ｒに入射する。そして、反射型液晶装置３００Ｒによって、所定の画像情報に基づいた変調が施される。
【００７０】
さらに、ダイクロイックプリズム４１３の赤色光反射ダイクロイック膜４１９を透過した緑色光（Ｇ）は、反射型液晶装置３００Ｇに入射する。そして、反射型液晶装置３００Ｇによって、所定の画像情報に基づいた変調が施される。
【００７１】
このようにして、それぞれの反射型液晶装置３００Ｒ、３００Ｂ、３００Ｇによって変調された赤、青、緑の色光は、再びダイクロイックプリズム４１３、４１１にて合成され、投与光学系５００を介して投写面６００へ投写される。
【００７２】
本例の投写型表示装置２も、前述した投写型表示装置１と同様、液晶装置の開口率が大きいため、光の損失を最大限に防ぐことが可能となる。よって、きわめて明るい投写画像を得ることが可能となる。
【００７３】
さらに、第１の光学要素、第２の光学要素を用いたことにより、明るさが均一な偏光光束を照明光として得ることができる。よって、表示面、あるいは投写面全体に渡って明るさムラや色ムラが無く、かつきわめて明るい投写画像を得ることが可能となる。
【００７４】
なお、本例の投写型表示装置２において、偏光ビームスプリッタ２００を構成するプリズム部品２０２とダイクロイックプリズム４１１を構成するプリズム部品４１４とは、一体のプリズムにて構成することが可能である。また、同様に、プリズム部品４１５とプリズム部品４１６、プリズム部品４１４と導光プリズム４１２とを一体のプリズムにて構成することも可能である。これらのプリズム品を一体構成とすることにより、プリズム部品どうしの境界部分において発生する光の損失を防ぐことができ、より一層光の利用効率を高めることが可能となる。
（第３実施例）
前述した第２実施例の投写型表示装置２においては、色光分離合成素子として２つのダイクロイックプリズム４１１、４１３を用い、また、他の色光との光路の長さを等しくするために青色光の光路には導光プリズム４１２を設けている。この色分離合成素子を、１つのクロスダイクロイックプリズムによって構成することも可能である。このような投写型表示装置の例を第７図に示す。
【００７５】
第７図は、第３実施例の投写型表示装置３の要部を平面的に見た概略構成図である。なお、第７図は、第１の光学要素１２０の中心を通るＸＺ平面における断面図である。本例の投写型表示装置３において、前に説明した第１実施例の投写型表示装置１の構成要素と同様の構成要素については、第１図〜第５図で用いたものと同じ参照番号を付し、その詳細な説明は省略する。
【００７６】
本例の投写型表示装置３は、前述した投写型表示装置２の色光分離合成素子を構成するダイクロイックプリズム４１１、４１２の代わりに、４つのプリズム部品４２１、４２２、４２３、４２４の間に赤色光反射ダイクロイック膜４２５、４２６と青色光反射ダイクロイック膜４２７、４２８とがＸ字状に配置されたクロスダイクロイックプリズム４２０を用いている。このような、クロスダイクロイックプリズム４２０を用いることにより、光路の長さをきわめて短縮化することができる。したがって、大口径の投写レンズを用いなくともきわめて明るい投写画像を得ることができる。
【００７７】
また、本例の投写型表示装置３において、偏光ビームスプリッタ２００を構成するプリズム部品２０２とクロスダイクロイックプリズム４２０を構成するプリズム部品４２１とは一体のプリズムにて構成することが可能である。プリズム部品２０２、４２１を一体構成とすることにより、プリズム部品２０２と４２１との境界部分において発生する光の損失を防ぐことができ、より一層光の利用効率を高めることが可能となる。
【００７８】
なお、本例の投写型表示装置３は、投写型表示装置２と同様の効果も有している。
（第４実施例）
第３実施例における投写型表示装置３のように、色光分離合成素子としてクロスダイクロイックプリズム４２０を用いた場合、プリズムの中央部にダイクロイック膜が直交する部分が存在し、この部分が投写画像に影として現れる場合がある。クロスダイクロイックプリズム４２０の代わりに、第８図に示したようなダイクロイックプリズム４３０を採用すれば、この現象を完全に防止することが可能である。
【００７９】
第８図は、第４実施例の投写型表示装置４の要部を平面的に見た概略構成図である。なお、第８図は、第１の光学要素１２０の中心を通るＸＺ平面における断面図である。本例の投写型表示装置４は、第３実施例の投写型表示装置３のクロスダイクロイックプリズム４２０を、２つのダイクロイック膜が互いに光軸に対して異なる角度で配置されたダイクロイックプリズム４３０に代えたものである。その他の構成については第３実施例と同様であるため、詳細な説明については省略する。
【００８０】
ダイクロイックプリズム４３０は、互いに形状が異なる３つのプリズム部品４３１、４３２、４３３と、プリズム部品４３１とプリズム部品４３２との接合面に形成された緑色光反射ダイクロイック膜４３４、および、プリズム部品４３２とプリズム部品４３３との接合面に形成された赤色光反射ダイクロイック膜４３５から構成されている。ここで、緑色光反射ダイクロイック膜４３４と赤色光反射ダイクロイック膜４３５とは互いに光軸に対して異なる角度で配置されている。したがって、クロスダイクロイックプリズムを用いた場合のように、ダイクロイック膜が直交する部分が投写画像に影として現れることが無く、きわめて質の良い投写画像を得ることができる。
【００８１】
なお、本例の投写型表示装置４は、第３実施例の投写型表示装置３と同様の効果も有している。
（第５実施例）
第９図は、第５実施例の投写型表示装置５の要部を平面的に見た概略構成図である。なお、第９図は、第１の光学要素１２０の中心を通るＸＺ平面における断面図である。本例の投写型表示装置５は、前述した第３実施例の投写型表示装置３の変形例である。前述した第３実施例の投写型表示装置３と同様の構成については第７図で用いたものと同じ参照番号を付し、その詳細な説明については省略する。
【００８２】
まず第１に、本例の投写型表示装置５は、前述した第３実施例の投写型表示装置３と偏光照明装置の構成が相違している。本例の投写型表示装置５における偏光照明装置１００Ａは、出射側レンズ１５０が偏光変換素子１４０から離れた位置に設けられている点、偏光分離ユニットアレイ１４１と出射側レンズ１５０との間に反射ミラー７００が設けられている点で、前述した偏光照明装置１００と相違している。
【００８３】
第１０図は、偏光照明装置１００Ａと偏光照明装置１００とを比較した図である。説明の便宜上、関係のない部分は省略してある。図中実線は、本例の投写型表示装置５における第１の光学要素１２０、集光レンズアレイ１３１、偏光変換素子１４０、出射側レンズ１５０の位置関係を示している。図中点線は、偏光変換素子１４０と出射側レンズ１５０とが分離されていない状態、すなわち前述した偏光照明装置１００における第１の光学要素１２０と出射側レンズ１５０を示している。なお、図中１６０は、偏光照明装置１００または１００Ａによって照明される被照明領域である。
【００８４】
光源部１１０から出射される光束の平行性が極めて高く、かつ第１の光学要素１２０を構成する光束分割レンズ１２１の精度が極めて高い場合には、先の第３図に示したように、各中間光束１２２は偏光分離ユニット１４２の偏光分離面１４３上の極めて微小な領域に集光される。しかしながら、実際は光源ランプ１１１の発光点が有限の大きさを有していること、放物面リフレクター１１２の面精度や光束分割レンズ１２１のレンズ精度にばらつきがあることから、各中間光束１２２によって偏光分離面１４３上に形成される像はある程度の大きさを有することとなる。この像の大きさは偏光分離面１４３の開口断面の大きさよりも小さいことが望ましいが、そうでない場合には、偏光分離面１４３を経ずに偏光分離面１４３と隣接して配置されている反射面１４４に直接入射する光が発生することになる。ある偏光分離ユニット（これを、「第１の偏光分離ユニット」とする）の反射面に直接入射した光は、反射面で反射されて、隣接する偏光分離ユニット（これを、「第２の偏光分離ユニット」とする）に侵入し、第２の偏光分離ユニットの偏光分離面で２種類の偏光光束に分離される。但し、第１の偏光分離ユニットの反射面で反射されて第２の偏光分離ユニットに侵入した光束と、第２の偏光分離ユニットの偏光分離面に直接入射した光束とでは、第２の偏光分離ユニットの偏光分離面に入射する方向が９０度異なることとなる。よって、第２の偏光分離ユニットのＰ偏光光束出射面から出射される光束には、第１の偏光分離ユニットから侵入して第２の偏光分離ユニットの偏光分離面で反射されたＳ偏光光束が混入することとなる。また、第２の偏光分離ユニットのＳ偏光光束出射面から出射される光束には、第１の偏光分離ユニットから侵入して第２の偏光分離ユニットの偏光分離面を透過したＰ偏光光束が混入することとなる。このように、ある偏光分離ユニットの反射面に直接入射した光は、隣接する偏光分離ユニットにおいて、直接偏光分離面に入射した光束とは異なる状態で偏光分離されてしまい、Ｐ偏光光束出射面、Ｓ偏光光束出射面から本来出射されるべき偏光光束とは異なる偏光方向を有する偏光光束となって出射されるため、偏光照明装置から出射される光束の偏光度を低下させる原因となる。偏光照明装置から出射された光束のうち、反射型液晶装置３００Ｒ、３００Ｇ、３００Ｂの照明光として有効な光は一種類の偏光光のみであるため、偏光照明装置から出射される光束の偏光度の低下は、光の利用効率の低下、ひいては投写画像の明るさを低下させてしまうこととなり、好ましくない。
【００８５】
そこで、前述した偏光照明装置１００では、第２の光学要素１３０に集光レンズアレイ１３１を設け、この集光レンズアレイ１３１の集光力によって第１の光学要素１２０から出射される光を偏光分離面に導き、反射面に直接入射する光がなるべく少なくなるようにしている。
【００８６】
一方、反射面１４４に直接光束が入射するのを防ぐには、集光力が大きいレンズを用いて各中間光束１２２によって偏光分離面１４３上に形成される像の大きさを小さくする方法も有効である。
【００８７】
第１０図から解るように、出射側レンズ１５０を偏光変換素子１４０から離れた位置に設ければ、第１の光学要素１２０と偏光分離ユニットアレイ１４１との距離を小さくして、偏光照明装置１００における光束分割レンズ１２１よりも焦点距離の短い、すなわち集光力のより大きい光束分割レンズ１２１を使用することができる。したがって、各中間光束１２２によって偏光分離面１４３上に形成される像の大きさを小さくすることができ、反射面１４４に直接光束が入射するのを防ぐことが可能となる。
【００８８】
ここで、偏光分離面１４３は光が入射する角度によってその偏光分離性能が変化するため、光束分割レンズ１２１の集光力をむやみに高めることはできない。したがって、光源部１００から出射される光の平行性があまり高くない場合には、本例の投写型表示装置５のように、出射側レンズ１５０を偏光分離ユニットアレイ１４１から離れた位置に設けるだけでなく、集光レンズアレイ１３１を併用することが好ましい。
【００８９】
また、本例の投写型表示装置５のように、出射側レンズ１５０を偏光ビームスプリッタ２００の光入射面２０４に取り付けることにより、出射側レンズ１５０と偏光ビームスプリッタ２００との界面における光反射を低減することができ、より一層光の利用効率を高めることが可能となる。
【００９０】
さらに、本例の投写型表示装置５における偏光照明装置１００Ａでは、偏光分離ユニットアレイ１４１と出射側レンズ１５０との間に、光の進行方向を約９０度変える反射ミラー７００を設けている。このような反射ミラー７００を設けることにより、偏光ビームスプリッタ２００とクロスダイクロイックプリズム４２０とからなる部分と、偏光照明装置１００Ａとを並べて配置することができるため、光学系をコンパクトにすることが可能となる。
【００９１】
この反射ミラー７００は、全反射ミラーで構成することができる。しかしながら、この反射ミラー７００を、偏光分離ユニットアレイ１４１と選択位相差板４７とからなる偏光変換素子によって得られる特定の偏光光束（本例ではＳ偏光光束）のみを選択的に反射する誘電体ミラーとすれば、偏光ビームスプリッタ２００に入射する偏光光束の偏光度を、つまり結果的には反射型液晶装置３００Ｒ、３００Ｇ、３００Ｂを照明する照明光の偏光度を高めることができる。したがって、投写画像のコントラストを高めることができ、きわめて質の高い投写画像を得ることが可能となる。
【００９２】
さらに、この反射ミラー７００に、可視光のみを反射させ、赤外線や紫外線は透過させる機能を持たせれば、反射ミラー７００以降の光学素子が赤外線や紫外線によって劣化してしまうのを防ぐことができる。
【００９３】
また、反射ミラー７００を設ける位置は、第９図に示された位置には限られず、光源部１１０と偏光ビームスプリッタ２００との間のどの位置に設けても良い。例えば、前述した偏光照明装置１００のように、第２の光学要素１３０を構成する集光レンズアレイ１３１、偏光分離ユニットアレイ１４１、選択位相差板１４７、および出射側レンズ１５０が一体化されている場合には、出射側レンズ１５０と偏光ビームスプリッタ２００との間に反射ミラー７００を配置することも可能である。
【００９４】
なお、本例の偏光照明装置１００Ａは、前述した第１実施例〜第４実施例の投写型表示装置１〜４における偏光照明装置１００と置き換えることが可能である。
【００９５】
第２に、本例の投写型表示装置５は、偏光ビームスプリッタ２００の光入射面２０４と光出射面２０５にそれぞれ偏光板２１０、２１１が設けられている点で、前述した第３実施例の投写型表示装置３と相違している。偏光板２１０は、偏光ビームスプリッタ２００に入射する偏光光束の偏光度を、つまり結果的には反射型液晶装置３００Ｒ、３００Ｇ、３００Ｂを照明する照明光の偏光度を高めるものである。
【００９６】
また、偏光板２１１は、偏光ビームスプリッタ２００から出射した偏光光束の偏光度を、つまり結果的には投写光学系５００を介して表示面、あるいは投写面上に投写される画像の偏光度を高めるものである。本例の投写型表示装置５では、これらの偏光板２１０、２１１を配置することにより、投写画像のコントラストを高めることができ、きわめて質の高い投写画像を得ることが可能となる。
【００９７】
ここで、偏光板２１０、２１１を必ずしも偏光ビームスプリッタ２００の面に取り付ける必要はなく、出射側レンズ１５０と偏光ビームスプリッタ２００との間の光路上、偏光ビームスプリッタ２００と投写光学系５００との間の光路上に配置すれば良い。しかしながら、偏光板２１０、２１１を偏光ビームスプリッタ２００の面に取り付けることにより、偏光板２１０、２１１と偏光ビームスプリッタ２００との界面における光反射を低減することができ、光の利用効率を向上させることが可能となる。
【００９８】
なお、前述した第１実施例〜第４実施例の投写方表示装置１〜４において、本例のように偏光板２１０、２１１を配置するようにしても良い。
【００９９】
本例の投写型表示装置５は、上述した点以外の部分は第３実施例の投写型表示装置３と同一であるため、第３実施例における投写型表示装置３と同様の効果も有している。
（第６実施例）
第１１図は、第６実施例の投写型表示装置６の要部を平面的に見た概略構成図である。なお、図１１は、第１の光学要素８００の中心を通るＸＺ平面における断面図である。本例の投写型表示装置６は、前述した第３実施例の投写型表示装置３の変形例である。前述した第３実施例の投写型表示装置３と同様の構成については図７で用いたものと同じ参照番号を付し、その詳細な説明については省略する。
【０１００】
まず第１に、本例の投写型表示装置６は、前述した第３実施例の投写型表示装置３と偏光照明装置の構成が相違している。
【０１０１】
本例の投写型表示装置６における偏光照明装置１００Ｂは、システム光軸Ｌに沿って配置した光源部１１０、第１の光学要素８００、第２の光学要素８５０から概略構成されている。
【０１０２】
第１の光学要素８００は、図２に示した第１の光学要素１２０と同様に、マトリックス状に配列された複数の矩形の光束分割レンズ８０１からなるレンズアレイである。光源部１１０は、光源１１１の光軸が第１の光学要素１２０の中心と一致するように配置されている。光源部１１０から出射され、第１の光学要素８００に入射した光は、光束分割レンズ８０１により複数の中間光束に分割されて第２の光学要素８５０へ入射する。
【０１０３】
なお、各光束分割レンズ８０１の特性は、後に詳しく述べる偏光分離プリズム８２０の板状のプリズム８２３の厚み等に応じて各々最適化される。
【０１０４】
第１の光学要素８００の光出射面側に配置されている第２の光学要素８５０は、偏光分離プリズム８２０と選択位相差板８３０とからなる偏光変換素子８１０、偏光変換素子８１０から出射された中間光束を被照明領域である反射型液晶装置３００Ｒ、３００Ｇ、３００Ｂ上に重畳させる出射側レンズ８４０から大略構成される複合体である。
【０１０５】
偏光分離プリズム８２０は、第１２図（Ａ）〜（Ｃ）に示したように、斜面に偏光分離膜８２２が形成され、底面の形状が直角二等辺三角形である三角柱のプリズム８２１と、三角柱プリズム８２１と接合しない面に反射膜８２４が形成された板状のプリズム８２３とが組み合わされたものである。偏光分離膜８２２と反射膜８２４とはほぼ平行になるように配置されている。偏光分離膜８２２は誘電体多層膜等で、反射膜８２４は誘電体多層膜、アルミニウム膜等で形成することができる。
【０１０６】
偏光分離プリズム８２０に入射した光は、偏光分離膜８２２透過するＰ偏光光束と、偏光分離膜８２２で反射されて選択位相差板８３０の方向に進行方向を変えるＳ偏光光束とに分離される。Ｐ偏光光束は、板状のプリズム８２３に入射し、反射膜８２４で反射されることにより、その進行方向を変えＳ偏光光束とほぼ平行な状態となる。すなわち、偏光分離プリズム８２０に入射したランダムな偏光方向を有する中間光束は、偏光分離プリズム８２０の偏光分離膜８２２によりＳ偏光光束とＰ偏光光束とに分離される。そして、Ｓ偏光光束は第１２図（Ａ）に右上がりの斜線で示すＳ偏光光束出射面８２５から、Ｐ偏光光束は第１２図（Ａ）に右下がりの斜線で示すＰ光光束出射面８２６から、それぞれほぼ同じ方向に向けて出射される。
【０１０７】
なお、第１２図（Ａ）におけるＳ偏光光束出射面８２５、Ｐ偏光光束出射面８２６のＸ方向の幅は、板状のプリズム８２３のＺ方向およびＸ方向の厚みに対応している。ここで、本例では、板状のプリズム８２３のＺ方向およびＸ方向の厚みが第１の光学要素を構成する光束分割レンズ８０１のＸ方向の大きさ（第２図参照）の約１／２となっている。したがって、Ｓ偏光光束出射面８２５、Ｐ偏光光束出射面８２６のＸ方向の幅も光束分割レンズ８０１のピッチの約１／２となっている。
【０１０８】
偏光分離プリズム８２０の光出射面側には、第１１図に示すように、λ／２位相差層８３１が規則的に形成された選択位相差板８３０が設置されている。選択位相差板８３０は、偏光分離プリズムのＰ偏光光束出射面８２６の部分にのみλ／２位相差層８３１が形成され、Ｓ偏光光束出射面８２５の部分にはλ／２位相差層８３１が形成されていない光学素子８３２がある。したがって、第１１図に示すように、偏光分離プリズム８２０から出射されたＰ偏光光束は、選択位相差板８３０を通過する際にλ／２位相差層８３１によって偏光方向の回転作用を受け、Ｓ偏光光束へと変換される。一方、Ｓ偏光光束出射面８２５の部分にはλ／２位相差層８３１が形成されていないので、偏光分離プリズム８２０のＳ偏光光束出射面８２５から出射されたＳ偏光光束は、Ｓ偏光のまま選択位相差板８３０を通過する。
【０１０９】
すなわち、第１の光学要素８００から出射されたランダムな偏光方向を有する中間光束は、偏光分離プリズム８２０によりＰ偏光光束とＳ偏光光束とに分離され、選択位相差板８３０により、偏光方向が揃ったほぼ一種類の偏光光束（本例の場合はＳ偏光光束）に変換されたことになる。
【０１１０】
偏光変換素子８１０の光出射面側に配置された出射側レンズ８４０は、第１３図に示すように、マトリックス状に配列された複数の矩形レンズ８４１からなるレンズアレイである。図１３において、十字の交点はレンズ光軸を示している。
【０１１１】
この図から解るように、矩形レンズ８４１は偏心レンズとなっている。出射側レンズ８４０は、偏光照明装置１００における出射側レンズ１５０と同様に、偏光変換素子８１０により揃えられたそれぞれの中間光束を、被照明領域である反射型液晶装置３００Ｒ、３００Ｇ、３００Ｂ上で重畳結合する重畳結合素子としての機能を有している。すなわち、第１の光学要素８００により分割された中間光束（つまり、光束分割レンズ８０１により切り出されたイメージ面）のそれぞれが、偏光変換素子８１０によって一箇所の被照明領域上に重畳結合される。よって、被照明領域である反射型液晶装置３００Ｒ、３００Ｇ、３００Ｂ上を、一種類の偏光光束で、ほぼ均一に照明することができる。
【０１１２】
なお、矩形レンズ８４１のＸ方向の配列ピッチは、偏光分離プリズム８２０のＳ偏光光束出射面８２５、Ｐ偏光光束出射面８２６のＸ方向の幅とほぼ同じである。また、本例では、矩形レンズ８４１のＹ方向の配列ピッチを、第１の光学要素の光束分割レンズ８０１のＹ方向の配列ピッチとほぼ同じにしてある。
【０１１３】
しかしながら、矩形レンズ８４１のＸ方向の配列ピッチは、偏光分離プリズム８２０のＳ偏光光束出射面８２５のＸ方向の幅とＰ偏光光束出射面８２６のＸ方向の幅の和とほぼ同じにしても良い。この場合は、出射側レンズ８４０として、第１の光学要素８００と同じレンズアレイを用いることが可能となる。或いは、矩形レンズのＸ方向の配列ピッチを、偏光分離プリズム８２０のＳ偏光光束出射面８２５のＸ方向の幅とＰ偏光光束出射面８２６のＸ方向の幅の和よりも小さくしても良い。同様に、矩形レンズ８４１のＹ方向の配列ピッチについても光束分割レンズ８０１のＹ方向の配列ピッチよりも小さくすることが可能である。以上の状態は、第１の光学要素８００を構成する光束分割レンズ８０１を偏心レンズとすることによって実現できる。それにより、偏光ビームスプリッタ２００に入射する光束の断面積を小さくできるため、結果として、偏光ビームスプリッタ２００を小型化できる効果がある。
【０１１４】
以上をまとめると、偏光照明装置１００Ｂによっても、偏光照明装置１００の場合と同様、明るさが均一で、偏光方向がほぼ揃った照明光を得ることができる。
【０１１５】
偏光照明装置１００Ｂでは、第１の光学要素８００により光源部１１０からの出射光を複数の中間光束に分割し、それぞれの中間光束の断面積とほぼ同じ断面積内で、中間光束をＰ偏光光束とＳ偏光光束とに分離するようにしている。したがって、光束の拡幅を殆ど伴うことなく、光源からの出射光束を２種類の偏光光束に分離することができ、少ないスペースで偏光変換を行うことができるという特徴がある。
【０１１６】
なお、反射型液晶装置３００の表示領域、即ち、被照明領域（Ｘ方向に長い長方形状）の形状に合わせて、第１の光学要素８００を構成する光束分割レンズ８０１の断面形状をＸ方向に長い長方形にするとともに、偏光分離プリスム８２０から出射された２種類の偏光光束がＸ方向に交互に並ぶようにしている。このため、長方形の被照明領域を照明する場合でも、光を無駄にすることなく、光の利用効率を高めることができる。
【０１１７】
また、第１の光学要素と、第２の光学要素を構成する偏光分離プリズム８２０、選択位相差板８３０、出射側レンズ８４０を光学的に一体化することにより、それらの界面において発生する光損失を低減し、光の利用効率を一層高めるようにしている。しかしながら、これらの光学要素を必ずしも光学的に一体化する必要はない。
【０１１８】
本例の投写型表示装置６は、以上述べたような偏光照明装置１００Ｂを用いたことにより、明るさが均一な光束を照明光として得ることができる。したがって、表示面、あるいは投写面全体にわたってきわめて均一であり、かつきわめて明るい投写画像を得ることが可能となる。
【０１１９】
さらに、偏光照明装置１００Ｂでは偏光変換を行うと同時に光の進行方向が約９０度変えられるため、前述した第５実施例の投写型表示装置５のように、光の進行方向を変える反射ミラーを配置することなく光学系をコンパクトにすることが可能となる。
【０１２０】
なお、本例の投写型表示装置６においても、前述した第５実施例の投写型表示装置５のように、偏光ビームスプリッタ２００の光入射面や光出射面に、偏光度を高めるための偏光板を配置すれば、投写画像のコントラストを高めることができ、きわめて質の高い投写画像を得ることが可能となる。
（その他）
上述した実施例においては、いずれも偏光照明装置でＳ偏光光束を得る構成としているが、勿論、Ｐ偏光光束を得る構成としても良い。この場合は、選択位相差板１４７、８３０のλ／２位相差層１４８、８３１を偏光分離ユニットアレイ１４１、あるいは偏光分離プリズム８２０のＳ偏光光束出射面１４６、８２５に形成するようにすれば良い。
【０１２１】
また、投写型表示装置としては、投写面６００のうち、投写光学系５００の側の面から投写画像を観察するフロント型、あるいは投写光学系５００の反対側の面から投写画像を観察するリア型のものがあるが、本発明はいずれのタイプにも適用可能である。
【０１２２】
【発明の効果】
本発明の投写型表示装置によれば、従来の投写型表示装置と比較して光路の長さを短縮化することが可能となるため、大口径の投写レンズを用いなくとも明るい投写画像を得ることが可能である。また、被照明領域に対する照度のムラを低減することが可能であり、表示面、あるいは投写面全体に渡ってきわめて均一であり、かつきわめて明るい投写画像を得ることが可能となる。したがって、本発明の投写型表示装置は、例えばコンピュータから出力された画像やビデオレコーダから出力された画像をスクリーン上に投写して表示するために好適である。
【図面の簡単な説明】
【図１】第１実施例の投写型表示装置１の要部を示す概略構成図である。
【図２】偏光照明装置１００における第１の光学要素１２０の構成を示す斜視図である。
【図３】偏光照明装置１００における第２の光学要素１３０の機能を説明するための図である。
【図４】（Ａ）は、偏光照明装置１００における偏光分離ユニットアレイ１４１の構成を示す斜視図、（Ｂ）は、偏光照明装置１００における選択位相差板１４７の構成を示す斜視図である。
【図５】反射型液晶装置の一例を示す概略断面図である。
【図６】第２実施例の投写型表示装置２の要部を示す概略構成図である。
【図７】第３実施例の投写型表示装置３の要部を示す概略構成図である。
【図８】第４実施例の投写型表示装置４の要部を示す概略構成図である。
【図９】第５実施例の投写型表示装置５の要部を示す概略構成図である。
【図１０】偏光照明装置１００Ａと偏光照明装置１００とを比較した図である。
【図１１】第６実施例の投写型表示装置６の要部を示す概略構成図である。
【図１２】（Ａ）は、偏光照明装置１００Ｂにおける偏光分離プリズム８２０の構成を示す斜視図、（Ｂ）は、偏光分離プリズム８２０のうち、底面が直角二等辺三角形である三角柱のプリズム８２１の構成を示す斜視図、（Ｃ）は、偏光分離プリズム８２０のうち、板状のプリズム８２３の構成を示す斜視図である。
【図１３】偏光照明装置１００Ｂにおける出射側レンズ８４０の構成を示す斜視図である。
【図１４】従来の投写型表示装置の要部を示す概略構成図である。
【符号の説明】
１００、１００Ａ  偏光照明装置
１１０  光源部
１１１  光源ランプ
１１２  放物面リフレクター
１２０  第１の光学要素
１２１  光束分割レンズ
１３０  第２の光学要素
１３１  集光レンズアレイ
１３２  集光レンズ
１４０  偏光変換素子
１４１  偏光分離ユニットアレイ
１４２  偏光分離ユニット
１４３  偏光分離面
１４４  反射面
１４５  Ｐ偏光光束出射面
１４６  Ｓ偏光光束出射面
１４７  選択位相差板
１４８  λ／２位相差層
１５０  出射側レンズ
１６０  被照明領域
２００  偏光ビームスプリッタ
２０１  Ｓ偏光光束反射膜
２０２、２０３  プリズム部品
３００  反射型液晶装置
３００Ｒ、３００Ｇ、３００Ｂ  反射型液晶素子
３０１Ｒ、３０１Ｇ、３０１Ｂ  反射型液晶素子
５００  投写光学系
６００  投写面
７００  反射ミラー
【図１】
0003587198.tif 000002
【図２】
0003587198.tif 000003
【図３】
0003587198.tif 000004
【図４】
0003587198.tif 000005
【図５】
0003587198.tif 000006
【図６】
0003587198.tif 000007
【図７】
0003587198.tif 000008
【図８】
0003587198.tif 000009
【図９】
0003587198.tif 000010
【図１０】
0003587198.tif 000011
【図１１】
0003587198.tif 000012
【図１２】
0003587198.tif 000013
【図１３】
0003587198.tif 000014
【図１４】
0003587198.tif 000015